(57)【要約】【課題】例えば白ネギなどを溝１５内部に移植するのに適した機体構造に構成でき、機体の左右幅のコンパクト化並びに組立分解性の向上などを行うことができるものである。【解決手段】苗載台７から苗取出爪１３によって取出した苗を、植付爪９に受継いで圃場に植付けると共に、左右の走行輪５を昇降自在に装設させる移植機において、エンジン２と油圧昇降ポンプ２３と苗取伝動ケース２４を車体フレーム１・３上側に設け、車体フレーム１・３下側に走行伝動ケース４を設けると共に、車体フレーム１・３後側にハンドルフレーム８を設けることを特徴とする。【選択図】      図８
2004249892.tif 000002
【特許請求の範囲】
【請求項１】
苗載台から苗取出爪によって取出した苗を、植付爪に受継いで圃場に植付けると共に、左右の走行輪を昇降自在に装設させる移植機において、エンジンと油圧昇降ポンプと苗取伝動ケースを車体フレーム上側に設け、車体フレーム下側に走行伝動ケースを設けると共に、車体フレーム後側にハンドルフレームを設けることを特徴とする野菜移植機。
【請求項２】
苗載台から苗取出爪によって取出した苗を、植付爪に受継いで圃場に植付けると共に、左右の走行輪を昇降自在に装設させる移植機において、エンジンによって駆動する油圧昇降ポンプと油圧昇降バルブの取付け位置で機体側方に昇降ロックレバーを突設させることを特徴とする野菜移植機。
【発明の詳細な説明】
【０００１】
【発明の属する技術分野】
本発明は例えば白ネギ（根深ネギ）などの苗を移植する野菜移植機に関する。
【０００２】
【従来の技術】
従来、苗載台から苗取出爪によって取出した苗を、植付爪に受継いで圃場に植付けると共に、左右の走行輪を昇降自在に装設させる技術がある。（例えば、特許文献１参照）
【０００３】
【特許文献１】
特開平５−２３６８０８号公報
【０００４】
【発明が解決しようとする課題】
前記従来技術は、予め形成した畝の上面に苗を植付ける機体構造であるから、白ネギのように予め形成した溝の内部に苗を植付ける作業を容易に行い得ない等の問題がある。また、作業を途中で中断した場合、昇降バルブから昇降シリンダの油が抜けて機体が下降する等の問題がある。
【０００５】
【課題を解決するための手段】
然るに、本発明は、請求項１に示す如く、苗載台から苗取出爪によって取出した苗を、植付爪に受継いで圃場に植付けると共に、左右の走行輪を昇降自在に装設させる移植機において、エンジンと油圧昇降ポンプと苗取伝動ケースを車体フレーム上側に設け、車体フレーム下側に走行伝動ケースを設けると共に、車体フレーム後側にハンドルフレームを設けるもので、例えば白ネギなどを溝内部に移植するのに適した機体構造に構成し得、機体の左右幅のコンパクト化並びに組立分解性の向上などを行い得るものである。
【０００６】
また、請求項２に示す如く、苗載台から苗取出爪によって取出した苗を、植付爪に受継いで圃場に植付けると共に、左右の走行輪を昇降自在に装設させる移植機において、エンジンによって駆動する油圧昇降ポンプと油圧昇降バルブの取付け位置で機体側方に昇降ロックレバーを突設させるもので、機体側方の走行輪の後方を追従移動している作業者によって昇降ロックレバーを簡単に操作し得、作業を途中で中断しても、ロックレバーの油圧ロック操作によって昇降バルブをロックすることにより、昇降シリンダの油が抜けて機体が下降する不具合をなくし得るものである。
【０００７】
【発明の実施の形態】
以下、本発明の実施例を図面に基づいて詳述する。図１は全体側面図、図２は同平面図、図３は側面斜視図、図４は前面斜視図、図５は背面斜視図、図６はボンネットを外した側面斜視図、図７は同既略斜視図、図８はエンジン部の斜視図、図９は車体フレーム部の斜視図、図１０は機体底面の斜視図、図１１は同分解斜視図、図１２は路上走行姿勢の正面図、図１３は移植作業姿勢の正面図である。
【０００８】
そして、図中１はエンジン２を搭載する前車体フレーム、３は前車体フレーム１後側に連設する後車体フレーム、４は後車体フレーム３下側に設ける走行伝動ケース、５は前記走行伝動ケース４にアクスルケース６を介し上下揺動可能に支持する左右の走行輪、７は前記後車体フレーム３の後方にハンドルフレーム８を介して装設する苗載台、９は左右の走行輪５間で前記走行伝動ケース４に植付伝動ケース１０を介して装設する苗植付爪、１１は前車体フレーム１下側に装設する前輪、１２は苗に覆土する覆土輪、１３は左右往復移動する苗載台７上の苗トレイかせら１株分のポット形白ネギ苗を苗取出爪、苗取出爪１３によって取出された白ネギ苗を植付爪９に放出供給し、ハンドルフレーム８後側の操向ハンドル１４操作による機体の走行中、前輪１１を移動させる溝１５内部に一定間隔毎の白ネギ苗を植付ける移植作業を行うように構成している。
【０００９】
なお、図中１６はボンネット、１７はボンネット１６の両側に設ける予備苗台、１８は操向ハンドル１４の左側に設ける走行変速レバー、１９はハンドル１４の右側に設ける主クラッチレバー、２０はハンドル１４の右側に設ける油圧昇降レバー、２１は植付爪９の植付位置前方の溝１５内部を作溝する作溝機、２２は左右のアクスルケース６を揺動させて左右の走行輪５を昇降させる油圧昇降シリンダである。
【００１０】
さらに、図７乃至図９に示す如く、苗載台７から苗取出爪１３によって取出した苗を、植付爪９に受継いで圃場に植付けると共に、左右の走行輪５を昇降自在に装設させる移植機において、エンジン２と油圧昇降ポンプ２３と苗取伝動ケース２４を車体フレーム１・３上側に設け、車体フレーム１・３下側に走行伝動ケース４を設けると共に、車体フレーム１・３後側にハンドルフレーム８を設け、例えば白ネギなどを溝１５内部に移植するのに適した機体構造に構成し、機体の左右幅のコンパクト化並びに組立分解性の向上などを行うもので、前車体フレーム１の前側上面にエンジン２を載置させ、前車体フレーム１の前側下面に軸フレーム２５及び前車軸２６を介して左右の前輪１１を遊転軸支させる。また、前車体フレーム１の左右幅と左右の前輪１１の左右幅を略同一に形成する。
【００１１】
さらに、前車体フレーム１の後側と後車体フレーム３を走行伝動ケース４にボルト止め固定させ、該ケース４両側の車軸ケース２７にアクスルケース６を介して走行輪５を支持させ、前車体フレーム１下面に設ける昇降シリンダ２２をスイングロッド２８を介してアクスルケース６に連結させ、昇降レバー２０操作によってシリンダ２２を作動させて走行輪５を昇降させ、溝１５に苗を植付ける移植作業時、前輪１１の車軸２６及び車軸ケース２７の軸芯よりも走行輪５の車軸２９を高位置に上昇させ、前輪１１を溝１５内部で移動させ、溝５両側の畝３０上面に走行輪５を移動させ、左右いずれか一方の走行輪５後方の畝３０上面を作業者が歩行移動し、白ネギなどの苗移植を行う。
【００１２】
また、後車体フレーム３の前側上面に昇降ポンプ２３を載置させ、後車体フレーム３の後側上面に苗取伝動ケース２４を載置させ、後車体フレーム３下面の走行伝動ケース４にエンジン２をベルト３１伝動させ、前記ケース４から苗取伝動ケース２４にベルト３２伝動させ、エンジン２から昇降ポンプ２３にベルト３３伝動させ、左右の走行輪５と植付爪９と苗取出爪１３を駆動し、左右に往復動させる苗載台７の苗を連続的に溝１５内部に植付ける。
【００１３】
また、図１０、図１１にも示す如く、前記ハンドルフレーム８上側に苗載台７を装設させ、左右のハンドルフレーム８前側をヒッチフレーム３４に固定させ、後車体フレーム３後側のヒッチ台３５にヒッチフレーム３４を４本のボルト３６によって着脱自在に固定させるもので、ハンドルフレーム８上に苗載台７と取出爪１３を設けた状態で、後車体フレーム３にハンドルフレーム８を取付けまたは取外し可能に構成している。
【００１４】
さらに、前記昇降ポンプ２３に油圧昇降バルブ３７を設け、ハンドル１４右側の昇降レバー２０によってバルブ３７を切換え、昇降シリンダ２２を作動させて走行輪５を昇降させ、車体フレーム１・３など本機の対地高さを変化させると共に、前記バルブ３７を切換える昇降ロックレバー３８を昇降ポンプ２３上面にレバーホルダ３９を介して設け、前記ベルト３１・３２・３３の機外側を覆うベルトカバー４０の外側にガイド溝４１を介して昇降ロックレバー３８の握り部を突出させ、本機右側の昇降レバー２０と反対側の、本機左側にロックレバー３８を突出させ、左の走行輪５の後方を追従歩行する作業者によってロックレバー３８を操作可能に構成している。
【００１５】
そして、前記昇降レバー２０の手動操作により、図１２のように、左右の走行輪５を下降させ、前車軸２６よりも走行輪５の車軸２９を低くし、路上走行姿勢または圃場枕地での方向転換姿勢に機体を支持させる一方、前記昇降レバー２０の手動操作により、図１３及び図１５のように、左右の走行輪５を上昇させ、前車軸２６及び車軸ケース２７軸芯よりも走行輪５の車軸２９を高くし、前輪１１を溝１５内部に走行させる移植作業姿勢に機体を支持させる。また、昇降ロックレバー３８の操作によって昇降バルブ３７を油圧ロック（ストップ）または油圧オープン（上下動可）の状態に切換え、昇降レバー２０の誤操作などによって上昇している機体が下降するのを油圧ロックにより防ぐ。
【００１６】
上記から明らかなように、苗載台７から苗取出爪１３によって取出した苗を、植付爪９に受継いで圃場に植付けると共に、左右の走行輪５を昇降自在に装設させる移植機において、エンジン２によって駆動する油圧昇降ポンプ２３と油圧昇降バルブ３７の取付け位置で機体側方に昇降ロックレバー３８を突設させ、機体側方の走行輪５の後方を追従移動している作業者によって昇降ロックレバー３８を簡単に操作し、作業を途中で中断しても、ロックレバー３８の油圧ロック操作によって昇降バルブ３７をロックすることにより、昇降シリンダ２２の油が抜けて機体が下降する不具合をなくしている。また、作業者が追従走行している作業中はロックレバー３８を油圧オープンに切換えることにより、操向ハンドル１４の右側の昇降レバー２０を操作し、圃場の枕地で方向転換させるときに図１３の姿勢乃至図１２の姿勢に切換え、圃場を往復走行して複数条の溝１５に苗を移植する作業を行う。なお、実施例ではネギの移植ですが、図１４に示す如く、他の野菜を畝Ａに移植する場合もあるので、畝Ａを作って移植する時、機体左側で畝Ａの谷部を作業者は歩行することになり、作業者が畝Ａの上を通って昇降バルブ３７側に移動してロックまたはオープン操作をする面倒が発生することから、作業者が歩行する左側に油圧ロックレバー３８を設け、作業者が反対側に廻り込む必要をなくしている。
【００１７】
【発明の効果】
以上実施例から明らかなように本発明は、苗載台７から苗取出爪１３によって取出した苗を、植付爪９に受継いで圃場に植付けると共に、左右の走行輪５を昇降自在に装設させる移植機において、エンジン２と油圧昇降ポンプ２３と苗取伝動ケース２４を車体フレーム１・３上側に設け、車体フレーム１・３下側に走行伝動ケース４を設けると共に、車体フレーム１・３後側にハンドルフレーム８を設けるもので、例えば白ネギなどを溝１５内部に移植するのに適した機体構造に構成でき、機体の左右幅のコンパクト化並びに組立分解性の向上などを行うことができるものである。
【００１８】
また、請求項２に示す如く、苗載台７から苗取出爪１３によって取出した苗を、植付爪９に受継いで圃場に植付けると共に、左右の走行輪５を昇降自在に装設させる移植機において、エンジン２によって駆動する油圧昇降ポンプ２３と油圧昇降バルブ３７の取付け位置で機体側方に昇降ロックレバー３８を突設させるもので、機体側方の走行輪５の後方を追従移動している作業者によって昇降ロックレバー３８を簡単に操作でき、作業を途中で中断しても、ロックレバー３８の油圧ロック操作によって昇降バルブ３７をロックすることにより、昇降シリンダ２２の油が抜けて機体が下降する不具合をなくすことができるものである。
【図面の簡単な説明】
【図１】全体側面図。
【図２】同平面図。
【図３】側面斜視図。
【図４】前面斜視図。
【図５】背面斜視図。
【図６】ボンネットを外した側面斜視図。
【図７】同既略斜視図。
【図８】エンジン部の斜視図。
【図９】車体フレーム部の斜視図。
【図１０】機体底面の斜視図。
【図１１】同分解斜視図。
【図１２】路上走行姿勢の正面図。
【図１３】移植作業姿勢の正面図。
【図１４】畝上面に苗を移植する正面図。
【図１５】移植作業姿勢の側面説明図。
【符号の説明】
１・３    車体フレーム
２    エンジン
４    走行伝動ケース
５    走行輪
７    苗載台
８    ハンドルフレーム
９    植付爪
１３  苗取出爪
２３  昇降ポンプ
２４  苗取伝動ケース
３７  昇降バルブ
３８  昇降ロックレバー
【図１】
2004249892.tif 000003
【図２】
2004249892.tif 000004
【図３】
2004249892.tif 000005
【図４】
2004249892.tif 000006
【図５】
2004249892.tif 000007
【図６】
2004249892.tif 000008
【図７】
2004249892.tif 000009
【図８】
2004249892.tif 000010
【図９】
2004249892.tif 000011
【図１０】
2004249892.tif 000012
【図１１】
2004249892.tif 000013
【図１２】
2004249892.tif 000014
【図１３】
2004249892.tif 000015
【図１４】
2004249892.tif 000016
【図１５】
2004249892.tif 000017